(57)【要約】【課題】フロントモニター用のフォトディテクタを備える光ピックアップ装置において、省スペース化を図る。【解決手段】レーザダイオード１から出射されたレーザ光線ＬＢをビームスプリッタ２で反射させて光ディスク８に導き、光ディスク８で反射したレーザ光線を、ビームスプリッタ２を透過させてフォトディテクタ７でデータを読み取る光路を持つ光ピックアップ装置１１において、レーザダイオード１から出射されたレーザ光線ＬＢがビームスプリッタ２を透過した位置に集光ミラー３１を取り付け、この集光ミラー３１でレーザ光線を反射させてビームスプリッタ２のレーザダイオード１側の面から出射させ、これをフロントモニター用フォトディテクタ４で読み取って、レーザ光線を制御するようにした光ピックアップ装置１１であり、省スペースが図れる。【選択図】図２
2009266282.tif 000002
【特許請求の範囲】
【請求項１】
出光手段から出射された光線を反射／透過させるビームスプリッタと、
前記ビームスプリッタで反射された光線をディスク媒体上で最小のスポットにする対物レンズと、
前記ディスク媒体上で反射され、前記対物レンズと前記ビームスプリッタを透過した光線を受光するデータ読取用の受光手段と、
前記ビームスプリッタを透過した光を前記出光手段側に反射して集光する集光ミラーと、
前記集光ミラーによって集光された光線を、前記ビームスプリッタの前記出光手段側の領域で受光するフロントモニター用の受光手段を備えることを特徴とする光ピックアップ装置。
【請求項２】
前記集光ミラーは、前記ビームスプリッタの反射／透過面に対して、前記出光手段側と反対側に設けた４面プリズムの前記反射／透過面に隣接する面に、集光された光線が対向面を通過するように設けたことを特徴とする請求項１に記載の光ピックアップ装置。
【請求項３】
前記集光ミラーは、前記ビームスプリッタの反射／透過面に対して、前記出光手段側と反対側に設けた３面プリズムの前記反射／透過面に隣接する面に、集光された光線が前記３面プリズムの前記反射／透過面を延長した面で反射するように設けたことを特徴とする請求項１に記載の光ピックアップ装置。
【請求項４】
前記集光ミラーは、前記ビームスプリッタの反射／透過面に対して、前記出光手段側と反対側の面に離間させた状態で、集光された光線が前記反射／透過面を透過、或いは反射するように設けたことを特徴とする請求項１に記載の光ピックアップ装置。
【請求項５】
前記集光ミラーは、前記ビームスプリッタの反射／透過面に対して、前記出光手段側と反対側の面に接触させた状態で、集光された光線が前記反射／透過面を透過、或いは反射するように設けたことを特徴とする請求項１に記載の光ピックアップ装置。
【発明の詳細な説明】
【技術分野】
【０００１】
本発明は光ピックアップ装置に関し、特に、光ディスク装置における光ディスクにデータの記録や再生を行うための出光部であるレーザ光源及び受光部を備える光ピックアップ装置の改良に関する。
【背景技術】
【０００２】
従来、コンパクトディスク（ＣＤ）、デジタル多用途ディスク（ＤＶＤ）、或いはブルーレイディスクなどの次世代光ディスク装置においては、光ディスクにデータを記録したり、光ディスクに記録されたデータを読み取るために出光手段としてレーザ光線が使用されている。このレーザ光線を発生させるレーザダイオード等の半導体素子を用いた光源、及び光ディスクで反射して戻ってきたレーザ光線を受光する手段としてフォトディテクタを備える装置は、光ピックアップ装置と呼ばれている。
【０００３】
このような光ピックアップ装置においては、フォトディテクタを用いたパワーモニタにより、レーザ光線のパワーを所定値に保つためのオートパワーコントロール（ＡＰＣ）が行われている。そして、ＣＤやＤＶＤの再生専用のピックアップ装置においては、レーザダイオードのリア側の光を利用するリアモニターが一般的であり、この場合にはフォトディテクタはレーザダイオードのパッケージに内蔵されている。また、光ピックアップ装置に光学モジュールが使用される場合には、フォトディテクタは光学モジュールに内蔵されている。
【０００４】
これに対して、ＣＤやＤＶＤの記録用のピックアップ装置、或いはブルーレイディスクの記録用又は再生用の光ピックアップ装置においては、レーザダイオードのリア側の光を利用せず、レーザダイオードのフロント側の光をモニターするフロントモニターが一般的である。この理由としては、光ディスクに近接して配置される対物レンズから出射される光のパワーの大小は光ディスクの記録品質への影響が大きいので、パワーを正確にコントロールする必要があり、フロント側のレーザ光線でオートパワーコントロールを行う方が精度が高いからである。このフロントモニターの構成は、例えば、特許文献１、２に記載されている。
【０００５】
また一般に、フロントモニター用のフォトディテクタを光ピックアップ装置に配置する場合は、ビームスプリッタ部を中心に、レーザダイオードからビームスプリッタ部を通ってフロントモニター用のフォトディテクタに至る第１の光路と、レーザダイオードからのレーザ光線がビームスプリッタ部で反射して対物レンズに至り、ディスクで反射して再び対物レンズとビームスプリッタを通ってデータ読取用のフォトディテクタに達する第２の光路とが設けられる。第１の光路と第２の光路とは十字状に配置される。
【０００６】
【特許文献１】特開平９−２２３３２２号公報（図１、図７）
【特許文献２】特開平１１−１２０５８８号公報（図１、図１１）
【発明の開示】
【発明が解決しようとする課題】
【０００７】
しかしながら、従来のフロントモニター用のフォトディテクタを備える光ピックアップ装置では、前述のように、レーザダイオードからフロントモニター用のフォトディテクタに至る第１の光路と、対物レンズからデータ読取用のフォトディテクタに達する第２の光路とが十字状に配置されることになり、第２の光路に対して第１の光路のフロントモニター用のフォトディテクタが突出し、スペース効率が悪いという問題点があった。
【０００８】
そこで、本発明は、フロントモニター用のフォトディテクタを備える光ピックアップ装置において、対物レンズからデータ読取用のフォトディテクタに達すると光路に対して、フロントモニター用のフォトディテクタがこの光路から突出せず、省スペース化を図ることが可能な光ピックアップ装置を提供することを目的としている。
【課題を解決するための手段】
【０００９】
前記目的を達成する本発明の光ピックアップ装置は、出光手段から出射された光線を反射／透過させるビームスプリッタと、ビームスプリッタで反射された光線をディスク媒体上で最小のスポットにする対物レンズと、ディスク媒体上で反射され、対物レンズとビームスプリッタを透過した光線を受光するデータ読取用の受光手段と、ビームスプリッタを透過した光を出光手段側に反射して集光する集光ミラーと、集光ミラーによって集光された光線を、ビームスプリッタの出光手段側の領域で受光するフロントモニター用の受光手段を備えることを特徴としている。
【００１０】
この場合、集光ミラーとしては、以下のような形態が可能である。
（１）ビームスプリッタの反射／透過面に対して、出光手段側と反対側に設けた４面プリズムの反射／透過面に隣接する面に、集光された光線が対向面を通過するように設けた形態。
（２）ビームスプリッタの反射／透過面に対して、出光手段側と反対側に設けた３面プリズムの反射／透過面に隣接する面に、集光された光線が３面プリズムの反射／透過面を延長した面で反射するように設けた形態。
（３）ビームスプリッタの反射／透過面に対して、出光手段側と反対側の面に離間させた状態で、集光された光線が反射／透過面を透過、或いは反射するように設けた形態。
（４）ビームスプリッタの反射／透過面に対して、出光手段側と反対側の面に接触させた状態で、集光された光線が反射／透過面を透過、或いは反射するように設けた形態。
【発明の効果】
【００１１】
本発明の光ピックアップ装置によれば、フロントモニター用の受光手段を備える光ピックアップ装置において、対物レンズからデータ読取用の受光手段に達する光路に対して、フロントモニター用の受光手段がこの光路から突出せず、省スペース化を図ることができるという効果がある。
【発明を実施するための最良の形態】
【００１２】
以下、添付図面を用いて本発明の実施の形態を、具体的な実施例に基づいて詳細に説明するが、本発明の実施例を説明する前に、図１を用いて従来のフロントモニター用のフォトディテクタを備える光ピックアップ装置の構成を説明する。
【００１３】
図１に示すように、従来のフロントモニター用のフォトディテクタ４を備えた光ピックアップ装置９は、この他にレーザダイオード１、ビームスプリッタ２、集光レンズ３、コリメートレンズ５、対物レンズ６、及びデータ読取用のフォトディテクタ７を備えて構成される。８はレーザ光線ＬＢが照射される光ディスクである。レーザダイオード１はレーザ光線ＬＢを発生させ、これをビームスプリッタ２の面Ｍ１に入射する。ビームスプリッタ２は、断面が直角二等辺三角形の２つの三面プリズム２Ａ，２Ｂを貼り合わせて四角柱状にしたものであり、貼り合わせ面が反射／透過面１０となっている。
【００１４】
レーザダイオード１からビームスプリッタ２の面Ｍ１に入射されたレーザ光線ＬＢは、ビームスプリッタ２にある反射／透過面１０で透過、或いは反射される。反射／透過面１０を透過したレーザ光線ＬＢは、ビームスプリッタ２の面Ｍ２に隣接して設けられた集光レンズ（平凸レンズ）３で集光され、集光レンズ３の焦点距離の位置にあるフロントモニター用のフォトディテクタ４に入射される。
【００１５】
一方、ビームスプリッタ２にある反射／透過面１０で反射したレーザ光線ＬＢは、ビームスプリッタ２の面Ｍ３から離れた位置にあるコリメートレンズ５を通り、光ディスク８の近傍に設置された対物レンズ６で集光されて光ディスク８の記録面上でスポットが最小となるように、光ディスク８の上に照射される。レーザ光線ＬＢは、光ディスク８の上で反射し、再び対物レンズ６とコリメートレンズ５を通ってビームスプリッタ２の面Ｍ３に入射される。ビームスプリッタ２に入射されたレーザ光線ＬＢは反射／透過面１０を透過して、ビームスプリッタ２の面Ｍ４の外部に設けられたデータ読取用のフォトディテクタ７に入射され、データが読み取られる。データ読取用のフォトディテクタ７は、こりメートレンズ５の焦点距離の位置にある。
【００１６】
即ち、従来のフロントモニター用のフォトディテクタ４を備えた光ピックアップ装置９には、ビームスプリッタ２を中心にして、レーザダイオード１からビームスプリッタ２を通ってフロントモニター用のフォトディテクタ４に至る第１の光路と、レーザダイオード１からのレーザ光線がビームスプリッタ２で反射してコリメートレンズ５を経て対物レンズ６に至り、光ディスク８で反射して再び対物レンズ６、コリメートレンズ５、及びビームスプリッタ２を通ってデータ読取用のフォトディテクタ７に達する第２の光路とが設けられていた。そして、第１の光路と第２の光路とは十字状に配置されていた。
【００１７】
このため、フロントモニター用のフォトディテクタ４を備える従来の光ピックアップ装置９では、光ディスク８とデータ読み取り用のフォトディテクタ７までの第２の光路に対して、第１の光路のフロントモニター用のフォトディテクタ４が突出し、スペース効率が悪いという問題点があったのである。
【００１８】
本発明は、このような従来のフロントモニター用のフォトディテクタ４を備える光ピックアップ装置９の問題点を解消するものであり、図２から図８に本発明に係る第１の実施例から第７の実施例の光ピックアップ装置１１〜１７の構成が示される。なお、説明を分かりやすくするために、図１で説明した従来の光ピックアップ装置９で使用され、第１から第７の実施例の光ピックアップ装置１１〜１７でも使用される部材には同じ符号を付してある。
【００１９】
図２は第１の実施例の光ピックアップ装置１１の構成を示すものである。第１の実施例の光ピックアップ装置１１は、レーザダイオード１、フロントモニター用のフォトディテクタ４、コリメートレンズ５、対物レンズ６、データ読取用のフォトディテクタ７、ビームスプリッタ２１、及び集光ミラー（平凸形状）３１を備えて構成される。８はレーザ光線ＬＢが照射される光ディスクである。第１の実施例の光ピックアップ装置１１では、レーザダイオード１、フロントモニター用のフォトディテクタ４、コリメートレンズ５、対物レンズ６、及びデータ読取用のフォトディテクタ７については、従来の光ピックアップ装置９で使用されているものと同じものを使用することができる。
【００２０】
第１の実施例の光ピックアップ装置１１が従来の光ピックアップ装置９と異なる点は以下の３点である。（１）従来の光ピックアップ装置９で使用されたビームスプリッタ２がビームスプリッタ２１に変更されている点。（２）集光レンズ３が平凸形状の集光ミラー３１に変更されている点。（３）（１）と（２）の変更に伴ってフロントモニター用のフォトディテクタ４の位置が変更されている点。
【００２１】
従来の光ピックアップ装置９で使用されたビームスプリッタ２は断面が直角二等辺三角形の３面プリズム２Ａ，２Ｂの２つの斜面を貼り合わせて反射／透過面１０が形成されていた。これに対して、第１の実施例の光ピックアップ装置１１のビームスプリッタ２１は、従来と同じ断面が直角二等辺三角形の１つの３面プリズム２Ａに、断面が四角形の４面プリズム２１Ａを貼り合わせて反射／透過面１０が形成されている。４面プリズム２１Ａの３面プリズム２Ａに張り合わせる面は同じ形状になっている。
【００２２】
４面プリズム２１Ａの反射／透過面１０に隣接し、レーザダイオード１から遠い側の面Ｍ２には、入射されたレーザ光線ＬＢを反射して集光する集光ミラー３１が取り付けられる。この集光ミラー３１は、集光ミラー３１で反射したレーザ光線ＬＢが、４面プリズム２１Ａの反射／透過面１０に隣接し、レーザダイオード１に近い側の面Ｍ５を通るように形成されている。この集光ミラー３１は、平凸形状のレンズの球面部に真空蒸着などによってミラー膜が形成されたものである。
【００２３】
そして、集光ミラー３１で反射したレーザ光線ＬＢが４面プリズム２１Ａから出る面Ｍ５の外側には、集光されたレーザ光線ＬＢの焦点位置に、フロントモニター用のフォトディテクタ４が配置されている。４面プリズム２１Ａの残った面Ｍ４は、光ディスク８の上で反射して戻り、コリメートレンズ５で集光されたレーザ光線ＬＢが４面プリズム２１Ａから出る面であり、この面Ｍ４の外側で、コリメートレンズ５で集光されたレーザ光線ＬＢの焦点位置にフォトディテクタ７が配置されている。
【００２４】
以上のように構成された第１の実施例の光ピックアップ装置１１では、レーザダイオード１で発生されたレーザ光線ＬＢはまず、ビームスプリッタ２１の３面プリズム２Ａの面Ｍ１に入射され、反射／透過面１０で反射、或いは透過される。ここで、反射／透過面１０を透過したレーザ光線ＬＢが通る光路を第１の光路とし、反射／透過面１０で反射したレーザ光線ＬＢが通る光路を第２の光路とする。
【００２５】
第１の光路では反射／透過面１０を透過したレーザ光線ＬＢは、４面プリズム２１Ａのレーザダイオード１から遠く、反射／透過面１０に隣接する面Ｍ２に取り付けられた集光ミラー３１で反射して集光されて再びビームスプリッタ２１に入射され、４面プリズム２１Ａのレーザダイオード１に近く、反射／透過面１０に隣接する面Ｍ５から外に出て、集光ミラー３１の焦点距離の位置にあるフロントモニター用のフォトディテクタ４に入射される。
【００２６】
一方、第２の光路では、反射／透過面１０で反射したレーザ光線ＬＢは、３面プリズム２Ａの面Ｍ３から離れた位置にあるコリメートレンズ５を通り、光ディスク８の近傍に設置された対物レンズ６で集光されて光ディスク８の記録面上でスポットが最小となる。レーザ光線ＬＢは光ディスク８の上で反射し、再び対物レンズ６とコリメートレンズ５を通ってビームスプリッタ２１の面Ｍ３から入射される。ビームスプリッタ２１に入射されたレーザ光線ＬＢは反射／透過面１０を透過して、ビームスプリッタ２１の面Ｍ４の外部に設けられたデータ読取用のフォトディテクタ７に入射され、データが読み取られる。
【００２７】
このように、第１の実施例の光ピックアップ装置１１では、フロントモニター用のフォトディテクタ４が、第２の光路に対してレーザダイオード１と同じ側にあるので、第１の光路が第２の光路に対してレーザダイオード１の反対側に突出しない。この結果、第１の実施例の光ピックアップ装置１１は、従来の光ピックアップ装置９に対してスペース効率が良い。
【００２８】
図３は第２の実施例の光ピックアップ装置１２の構成を示すものである。第２の実施例の光ピックアップ装置１２の構成は、図２で説明した第１の実施例の光ピックアップ装置１１の構成と殆ど同じであり、異なる点は、ビームスプリッタ２２の形状のみである。第１の実施例では、従来と同じ断面が直角二等辺三角形の１つの３面プリズム２Ａに、断面が四角形の４面プリズム２１Ａが貼り合わされて反射／透過面１０が形成されており、４面プリズム２１Ａの３面プリズム２Ａに張り合わせる面は同じ形状になっている。
【００２９】
これに対して、第２の実施例のビームスプリッタ２２は、従来と同じ断面が直角二等辺三角形の１つの３面プリズム２Ａは同じものを使用するが、これに貼り合わせるプリズムとして４面プリズム２１Ａではなく、３面プリズム２２Ａが使用されている。この３面プリズム２２Ａは、第１の実施例で使用した４面プリズム２１Ａの反射／透過面１０を外側に延長した面Ｍ６を形成すると共に、反射／透過面１０に隣接しない面Ｍ４を同じ方向に延長して３面に形成した形状をしている。
【００３０】
ビームスプリッタ２２をこのような形状とすると、レーザダイオード１から面Ｍ１に入射され、３面プリズム２２Ａの反射／透過面１０を透過し，第１の実施例と同じ集光ミラー３１で反射し、集光されて再びビームスプリッタ２１の面Ｍ２から入射したレーザ光線は、反射／透過面１０の延長面Ｍ６で反射し、面Ｍ４を通って３面プリズム２２Ａの外に出る。このため、フロントモニター用のフォトディテクタ４は、面Ｍ４の外側であって、集光ミラー３１で反射して集光されたレーザ光線ＬＢの焦点距離の位置に設置される。
【００３１】
以上のように構成された第２の実施例の光ピックアップ装置１２でも、レーザダイオード１で発生されたレーザ光線ＬＢはまず、ビームスプリッタ２１の３面プリズム２Ａの面Ｍ１に入射され、反射／透過面１０で反射、或いは透過される。ここでも、反射／透過面１０を透過したレーザ光線ＬＢが通る光路を第１の光路とし、反射／透過面１０で反射したレーザ光線ＬＢが通る光路を第２の光路とする。
【００３２】
第１の光路では、前述のように、レーザダイオード１から出射され、３面プリズム２２Ａの面Ｍ１から入射されたたレーザ光線は反射／透過面１０を透過し，第１の実施例と同じ集光ミラー３１で反射し、集光されて再びビームスプリッタ２１に入射される。そして、レーザ光線は、反射／透過面１０の延長面Ｍ６で反射し、面Ｍ４から３面プリズム２２Ａの外に出てフロントモニター用のフォトディテクタ４に入射される。
【００３３】
一方、第２の光路では、反射／透過面１０で反射したレーザ光線ＬＢは、３面プリズム２Ａの面Ｍ３から出てコリメートレンズ５を通り、光ディスク８の近傍に設置された対物レンズ６で集光されて光ディスク８の記録面上でスポットが最小となる。レーザ光線ＬＢは光ディスク８の上で反射し、再び対物レンズ６とコリメートレンズ５を通ってビームスプリッタ２２に面Ｍ３から入射される。ビームスプリッタ２２に入射されたレーザ光線ＬＢは反射／透過面１０を透過し、面Ｍ４からビームスプリッタ２２の外に出てデータ読取用のフォトディテクタ７に入射され、データが読み取られる。
【００３４】
このように、第２の実施例の光ピックアップ装置１２では、フロントモニター用のフォトディテクタ４が、第２の光路に対してレーザダイオード１と同じ側にあるので、第１の光路が第２の光路に対してレーザダイオード１の反対側に突出しない。この結果、第２の実施例の光ピックアップ装置１２は、従来の光ピックアップ装置９に対してスペース効率が良い。また、ビームスプリッタ２２に使用される３面プリズム２２Ａは、第１の実施例で使用した４面プリズム２１Ａに比べて加工費が安いので、装置コストの低減を図ることができる。
【００３５】
図４は第３の実施例の光ピックアップ装置１３の構成を示すものである。第３の実施例の光ピックアップ装置１３は、レーザダイオード１、ビームスプリッタ２、フロントモニター用のフォトディテクタ４、コリメートレンズ５、対物レンズ６、データ読取用のフォトディテクタ７、及び集光ミラー（平凸形状）３３を備えて構成される。８はレーザ光線ＬＢが照射される光ディスクである。第３の実施例の光ピックアップ装置１３では、レーザダイオード１、ビームスプリッタ２、フロントモニター用のフォトディテクタ４、コリメートレンズ５、対物レンズ６、及びデータ読取用のフォトディテクタ７については、従来の光ピックアップ装置９で使用されているものと同じものを使用することができる。
【００３６】
第３の実施例の光ピックアップ装置１３が従来の光ピックアップ装置９と異なる点は、集光レンズ３が平凸形状の集光ミラー３３に変更されている点と、集光レンズ３の集光ミラー３３への変更に伴ってフロントモニター用のフォトディテクタ４の位置が変更されている点である。
【００３７】
第３の実施例の光ピックアップ装置１３では、ビームスプリッタ２の反射／透過面１０に隣接し、レーザダイオード１から遠い側の面Ｍ２の外側に、空間ＳＰを隔ててレーザ光線ＬＢを反射して集光する集光ミラー３３が配置される。この集光ミラー３３は、反射したレーザ光線ＬＢが、ビームスプリッタ２に再び入射された後に反射／透過面１０に当たるように構成されている。この集光ミラー３３は、平凸形状のレンズの球面部に真空蒸着などによってミラー膜が形成されたものであり、この構成は前述の実施例と同様である。
【００３８】
そして、集光ミラー３３で反射したレーザ光線ＬＢが通るビームスプリッタ２のレーザダイオード１側の面Ｍ１の外側には、集光されたレーザ光線ＬＢの焦点位置に、フロントモニター用のフォトディテクタ４が配置されている。
【００３９】
以上のように構成された第３の実施例の光ピックアップ装置１３では、レーザダイオード１から出射されたレーザ光線ＬＢがビームスプリッタ２の反射／透過面１０で反射、或いは透過される。ここで、反射／透過面１０を透過したレーザ光線ＬＢが通る光路を第１の光路とし、反射／透過面１０で反射したレーザ光線ＬＢが通る光路を第２の光路とする。
【００４０】
第１の光路では反射／透過面１０を透過したレーザ光線ＬＢは、ビームスプリッタ２の面Ｍ２の外側に位置する集光ミラー３３で反射し、集光されて再びビームスプリッタ２に入射され、ビームスプリッタ２の面Ｍ１から外に出て、フロントモニター用のフォトディテクタ４に入射される。
【００４１】
一方、第２の光路では、従来例の光ピックアップ装置９と同様に、反射／透過面１０で反射したレーザ光線ＬＢは、３面プリズム２Ａの面Ｍ３から外に出て、面Ｍ３から離れた位置にあるコリメートレンズ５を通り、光ディスク８の近傍に設置された対物レンズ６で集光されて光ディスク８の記録面上でスポットが最小となる。レーザ光線ＬＢは光ディスク８の上で反射し、再び対物レンズ６とコリメートレンズ５を通ってビームスプリッタ２に面Ｍ３から入射される。ビームスプリッタ２に入射されたレーザ光線ＬＢは反射／透過面１０を透過した後に、ビームスプリッタ２の面Ｍ４から外に出て、ビームスプリッタ２の面Ｍ４の外部に設けられたデータ読取用のフォトディテクタ７に入射され、データが読み取られる。
【００４２】
このように、第３の実施例の光ピックアップ装置１３では、フロントモニター用のフォトディテクタ４が、第２の光路に対してレーザダイオード１と同じ側にあるので、第１の光路が第２の光路に対してレーザダイオード１の反対側に突出しない。この結果、第３の実施例の光ピックアップ装置１３は、従来の光ピックアップ装置９に対してスペース効率が良い。また、従来の光ピックアップ装置に使用されたビームスプリッタ２がそのまま使用できるので、装置コストの低減を図ることができる。
【００４３】
図５は第４実施例の光ピックアップ装置１４の構成を示すものである。第４の実施例の光ピックアップ装置１４の構成は、図４で説明した第３の実施例の光ピックアップ装置１３の構成と殆ど同じであり、異なる点は、フロントモニター用のフォトディテクタ４の配置のみである。第３の実施例では、集光ミラー３３で反射してビームスプリッタ２に面Ｍ２から入射されたレーザ光線ＬＢのうち、反射／透過面１０を透過するものを利用していた。このため、フロントモニター用のフォトディテクタ４は、レーザ光線ＬＢが出射するビームスプリッタ２の面Ｍ１の外側に配置されていた。
【００４４】
これに対して、第４の実施例では、集光ミラー３３で反射してビームスプリッタ２に面Ｍ２から入射されたレーザ光線ＬＢのうち、反射／透過面１０で反射して面Ｍ４から出射するレーザ光線ＬＢを利用している。このため、フロントモニター用のフォトディテクタ４は、ビームスプリッタ２の面Ｍ４の外側に配置されている。第４の実施例の光ピックアップ装置１４のこれ以外の構成は、第３の実施例の光ピックアップ装置１３と全く同じであるのでこれ以上の説明を省略する。
【００４５】
このように、第４の実施例の光ピックアップ装置１４では、フロントモニター用のフォトディテクタ４が、第２の光路に対してレーザダイオード１と同じ側にあるので、第１の光路が第２の光路に対してレーザダイオード１の反対側に突出しない。この結果、第２の実施例の光ピックアップ装置１２は、従来の光ピックアップ装置９に対してスペース効率が良い。また、従来の光ピックアップ装置に使用されたビームスプリッタ２がそのまま使用できるので、装置コストの低減を図ることができる。
【００４６】
なお、集光ミラー３３で反射して面Ｍ２からビームスプリッタ２に入射されたレーザ光線ＬＢが、反射／透過面１０を透過してから出射するビームスプリッタ２の面Ｍ１の外側にフロントモニター用のフォトディテクタ４を配置する（第３の実施例）か、或いは、反射／透過面１０で反射してから出射するビームスプリッタ２の面Ｍ４の外側にフロントモニター用のフォトディテクタ４を配置する（第４の実施例）は、フロントモニター用のフォトディテクタ４のレイアウトの都合で決めることもできるし、出射されるレーザ光線の光量の多い方に決めても良い。
【００４７】
図６は第５実施例の光ピックアップ装置１５の構成を示すものである。第５の実施例の光ピックアップ装置１５の構成は、図４で説明した第３の実施例の光ピックアップ装置１３の構成と殆ど同じであり、異なる点は、集光ミラー３３が集光ミラー３５に変更になっている点のみである。第３の実施例では、集光ミラー３３がビームスプリッタ２の面Ｍ２から離れており、集光ミラー３３とビームスプリッタ２の間に空間ＳＰがある。よって、レーザ光線ＬＢがビームスプリッタ２と集光ミラー３３を往復する際に、面Ｍ２あるいは集光ミラー３３の平面側の面に汚れやゴミなどが付着すると光量が減り、正確なパワーコントロールができなくなる可能性がある。
【００４８】
そこで、第５の実施例では、この空間ＳＰの部分がビームスプリッタ２と集光ミラー３５の材質と同じ材質で作られており、集光ミラー３５がビームスプリッタ２に一体的に取り付けられている。このため、第５の実施例では、レーザ光線ＬＢがビームスプリッタ２と集光ミラー３３を往復する際の汚れやゴミなどによる光量低下をなくすことができる。第５の実施例の光ピックアップ装置１５のこれ以外の構成は、第３の実施例の光ピックアップ装置１３と全く同じであるのでこれ以上の説明を省略する。
【００４９】
このように、第５の実施例の光ピックアップ装置１５では、フロントモニター用のフォトディテクタ４が、第２の光路に対してレーザダイオード１と同じ側にあるので、第１の光路が第２の光路に対してレーザダイオード１の反対側に突出しない。この結果、第５の実施例の光ピックアップ装置１５は、従来の光ピックアップ装置９に対してスペース効率が良い。また、従来の光ピックアップ装置に使用されたビームスプリッタ２がそのまま使用できるので、装置コストの低減を図ることができる。
【００５０】
図７は第６の実施例の光ピックアップ装置１６の構成を示すものである。第６の実施例の光ピックアップ装置１６の構成は、図５で説明した第４の実施例の光ピックアップ装置１４の構成と殆ど同じであり、異なる点は、集光ミラー３３が集光ミラー３５に変更になっている点のみである。第４の実施例では、集光ミラー３３がビームスプリッタ２の面Ｍ２から離れており、集光ミラー３３とビームスプリッタ２の間に空間ＳＰがある。よって、レーザ光線ＬＢがビームスプリッタ２と集光ミラー３３を往復する際に、面Ｍ２あるいは集光ミラー３３の平面側の面に汚れやゴミなどが付着すると光量が減り、正確なパワーコントロールができなくなる可能性がある。
【００５１】
そこで、第６の実施例では、この空間ＳＰの部分をなくし、集光ミラー３５がビームスプリッタ２に一体的に取り付けられている。このため、第６の実施例では、レーザ光線ＬＢがビームスプリッタ２と集光ミラー３５を往復する際の汚れやゴミなどによる光量低下をなくすことができる。第６の実施例の光ピックアップ装置１６のこれ以外の構成は、第３の実施例の光ピックアップ装置１３と全く同じであるのでこれ以上の説明を省略する。
【００５２】
このように、第６の実施例の光ピックアップ装置１６では、フロントモニター用のフォトディテクタ４が、第２の光路に対してレーザダイオード１と同じ側にあるので、第１の光路が第２の光路に対してレーザダイオード１の反対側に突出しない。この結果、第６の実施例の光ピックアップ装置１６は、従来の光ピックアップ装置９に対してスペース効率が良い。また、従来の光ピックアップ装置に使用されたビームスプリッタ２がそのまま使用できるので、装置コストの低減を図ることができる。
【００５３】
図８は第７の実施例の光ピックアップ装置１７の構成を示すものである。第７の実施例の光ピックアップ装置１７の構成は、図６で説明した第５の実施例の光ピックアップ装置１５の構成と殆ど同じであり、異なる点は、集光ミラー３７の面Ｍ２への取付角度が集光ミラー３５に比べて大きくなっている点のみである。第５の実施例では、ビームスプリッタ３５で反射してビームスプリッタ２に面Ｍ２から入射されたレーザ光線ＬＢは、反射／透過面１０を透過するか、或いは反射するように集光ミラー３５が配置されていた。
【００５４】
これに対して、第７の実施例では、集光ミラー３７がビームスプリッタ２に一体的に取り付けられていると共に、集光ミラー３７で反射してビームスプリッタ２に面Ｍ２から入射されたレーザ光線ＬＢが、反射／透過面１０に当たる前に、ビームスプリッタ２の面Ｍ４で全反射するようになっている。この面Ｍ４にはミラー膜などのコーティングを行う必要はない。これは、集光ミラー３７で反射したレーザ光線ＬＢは臨界角を超えるため、この面Ｍ４で全反射が起こるためである。
【００５５】
集光ミラー３７で反射してビームスプリッタ２に入射し、ビームスプリッタ２のフォトディテクタ７側の面Ｍ４で全反射したレーザ光線ＬＢは、反射／透過面１０を透過し、ビームスプリッタ２のレーザダイオード１側の面Ｍ１から出射するので、第７の実施例では、フロントモニター用のフォトディテクタ４が、この面Ｍ１の外側に配置されている。第７の実施例の光ピックアップ装置１７のこれ以外の構成は、第５の実施例の光ピックアップ装置１５と全く同じであるのでこれ以上の説明を省略する。
【００５６】
このように、第７の実施例の光ピックアップ装置１７では、フロントモニター用のフォトディテクタ４が、第２の光路に対してレーザダイオード１と同じ側にあるので、第１の光路が第２の光路に対してレーザダイオード１の反対側に突出しない。この結果、第７の実施例の光ピックアップ装置１７は、従来の光ピックアップ装置９に対してスペース効率が良い。また、従来の光ピックアップ装置に使用されたビームスプリッタ２がそのまま使用できるので、装置コストの低減を図ることができる。
【図面の簡単な説明】
【００５７】
【図１】従来のフロントモニター用のフォトディテクタを備える光ピックアップ装置の構成を説明する構成図である。
【図２】本発明のフロントモニター用のフォトディテクタを備える光ピックアップ装置の第１の実施例の構成を説明する構成図である。
【図３】本発明のフロントモニター用のフォトディテクタを備える光ピックアップ装置の第２の実施例の構成を説明する構成図である。
【図４】本発明のフロントモニター用のフォトディテクタを備える光ピックアップ装置の第３の実施例の構成を説明する構成図である。
【図５】本発明のフロントモニター用のフォトディテクタを備える光ピックアップ装置の第４の実施例の構成を説明する構成図である。
【図６】本発明のフロントモニター用のフォトディテクタを備える光ピックアップ装置の第５の実施例の構成を説明する構成図である。
【図７】本発明のフロントモニター用のフォトディテクタを備える光ピックアップ装置の第６の実施例の構成を説明する構成図である。
【図８】本発明のフロントモニター用のフォトディテクタを備える光ピックアップ装置の第７の実施例の構成を説明する構成図である。
【符号の説明】
【００５８】
１    レーザダイオード
２、２１、２２    ビームスプリッタ
３    集光レンズ
４    フロントモニター用のフォトディテクタ
５    コリメートレンズ
６    対物レンズ
７    データ読取用のフォトディテクタ
８    光ディスク
１０    反射／透過面
１１〜１７    第１から第７の実施例の光ピックアップ装置
２１Ａ    ４面プリズム
２２Ａ    ３面プリズム
３１，３３，３７    集光ミラー
【図１】
2009266282.tif 000003
【図２】
2009266282.tif 000004
【図３】
2009266282.tif 000005
【図４】
2009266282.tif 000006
【図５】
2009266282.tif 000007
【図６】
2009266282.tif 000008
【図７】
2009266282.tif 000009
【図８】
2009266282.tif 000010